(57)【要約】【課題】アラームの発生した機器を容易に見つけ出すことができ、監視室からもアラーム発生機器のメンテナンスの開始を容易に把握できるアラーム管理システムを提供する。【解決手段】アラームの発生を検知された機器２に近接して設けられた表示灯６をアラーム監視装置５からの信号によりアラーム表示態様で作動させる一方、表示灯６に設けられた手動操作スイッチ７からの信号をアラーム監視装置５が検知すると、この表示灯６に対応する機器２の表示装置４上におけるアラーム表示をアラーム監視装置５からの信号によって停止させる。表示装置４を参照することで、監視室にいる管理者もアラームの発生した機器のメンテナンスが開始されたことを容易に把握することができる。【選択図】図１
2014192554.tif 000002
【特許請求の範囲】
【請求項１】
離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置された各機器毎の表示灯とを備えたアラーム管理システムであって、
前記アラーム監視装置と前記表示灯の各々を双方向の信号線で接続すると共に、各表示灯毎に手動操作スイッチを配備し、
前記アラーム監視装置には、アラームの発生した機器に近接して設けられた表示灯をアラーム表示態様で作動させる一方、該表示灯に配備された手動操作スイッチからの信号を検知すると、この表示灯のアラーム表示態様での作動および該表示灯に対応する機器の前記表示装置上におけるアラーム表示を停止させる表示態様管理手段を設けたことを特徴とするアラーム管理システム。
【請求項２】
前記表示態様管理手段は、前記表示灯をアラーム表示態様で作動させてから前記手動操作スイッチから送出される最初の信号を受けると、この手動操作スイッチに対応する表示灯の作動態様および該表示灯に対応する機器の前記表示装置上における表示態様を、アラーム表示態様からメンテナンスの実行中を表すメンテナンス表示態様に切り替えることを特徴とした請求項１記載のアラーム管理システム。
【請求項３】
前記表示態様管理手段は、前記表示灯をメンテナンス表示態様で作動させてから前記手動操作スイッチから送出される最初の信号を受けると、この手動操作スイッチに対応する表示灯の作動態様および該表示灯に対応する機器の前記表示装置上における表示態様を、メンテナンス表示態様からメンテナンスの終了を表す障害復旧表示態様に切り替えることを特徴とした請求項２記載のアラーム管理システム。
【請求項４】
前記表示灯の表示態様を表示灯の点灯と点滅で識別することを特徴とした請求項１，請求項２または請求項３のうち何れか一項に記載のアラーム管理システム。
【請求項５】
前記表示灯の表示態様を表示灯の点灯色で識別することを特徴とした請求項１，請求項２または請求項３のうち何れか一項に記載のアラーム管理システム。
【請求項６】
離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置され前記アラーム監視装置に双方向の信号線で接続された各機器毎の手動操作スイッチ付表示灯とを備えたアラーム管理システムのアラーム表示方法であって、
アラームの発生を検知された機器に近接して設けられた表示灯を前記アラーム監視装置からの信号によりアラーム表示態様で作動させる一方、
前記表示灯に設けられた手動操作スイッチからの信号を前記アラーム監視装置が検知すると、この表示灯のアラーム表示態様での作動および該表示灯に対応する機器の前記表示装置上におけるアラーム表示を前記アラーム監視装置からの信号によって停止させることを特徴としたアラーム表示方法。
【請求項７】
前記表示灯がアラーム表示態様で作動した後、前記アラーム監視装置が、前記手動操作スイッチから送出される最初の信号を検知すると、前記アラーム監視装置が、この手動操作スイッチに対応する表示灯の作動態様および該表示灯に対応する機器の前記表示装置上における表示態様を、アラーム表示態様からメンテナンスの実行中を表すメンテナンス表示態様に切り替えることを特徴とした請求項６記載のアラーム表示方法。
【請求項８】
前記表示灯がメンテナンス表示態様で作動した後、前記アラーム監視装置が、前記手動操作スイッチから送出される最初の信号を検知すると、前記アラーム監視装置が、この手動操作スイッチに対応する表示灯の作動態様および該表示灯に対応する機器の前記表示装置上における表示態様を、メンテナンス表示態様からメンテナンスの終了を表す障害復旧表示態様に切り替えることを特徴とした請求項７記載のアラーム表示方法。
【請求項９】
前記表示灯の表示態様を表示灯の点灯と点滅で識別することを特徴とした請求項６，請求項７または請求項８のうち何れか一項に記載のアラーム表示方法。
【請求項１０】
前記表示灯の表示態様を表示灯の点灯色で識別することを特徴とした請求項６，請求項７または請求項８のうち何れか一項に記載のアラーム表示方法。
【発明の詳細な説明】
【技術分野】
【０００１】
本発明は、離間して設置された複数の機器からのアラーム信号を受けてアラームの発生した機器とアラームとの対応関係を表示装置に可視表示するアラーム監視装置を利用したアラーム管理システムおよびアラーム表示方法の改良に関する。
【背景技術】
【０００２】
離間して設置された複数の機器からのアラーム信号を受けてアラームの発生した機器とアラームとの対応関係を表示装置に可視表示するアラーム監視装置としては、例えば、特許文献１に開示されるアラーム監視システムが公知である。
このアラーム監視システムは、ネットワーク機器からのアラームを受けるアラーム受付部やアラーム監視データを蓄積するアラーム監視データベースおよびアラーム受付部で受け付けたアラームに応じた表示情報を生成するアラーム出力制御部等を備えたネットワーク管理システム（ＮＭＳ）によってネットワーク機器の状態を集中管理し、アラーム出力制御部からの出力によってワークステーションのディスプレイに各ネットワーク機器におけるアラームの発生を表示するものである。
特許文献１に開示されるアラーム監視システムは、ディスプレイを見るだけの作業でアラームの発生した機器それ自体を特定することができるが、多数の機器、特に、寸法や形状が類似する機器が同じ部屋に多数密集して配備されているような状況下では、アラームの発生した機器それ自体の名称や機械番号等がディスプレイの表示から容易に分かっても、その機器を配備した部屋に機器のメンテナンスに向かった人がアラームの発生した機器を見つけ出すのが困難になる場合がある。
例えば、放送局等のラック室では、数多くの機器が設置されており、その機器が故障すると放送事故に直結するため、各機器の状態、例えば、ＣＰＵの故障，電源の異常，ファンの機能停止等の状態を確認できるアラーム監視システムを設置して機器の異常をいち早く管理者に知らせるようにしているが、実際に機器のメンテナンスに派遣された人がラック室の状況に慣れていないと、アラームの発生した機器を見つけ出すことに手間取り、メンテナンスの開始が遅れるといった不都合が生じる。
【０００３】
これに対し、特許文献２に開示される故障警報表示装置では機器自体の表示灯をフリッカ表示すると共にオペーリレーションセンターにアラームの発生を通知するようになっているので、メンテナンスに派遣された人はアラームの発生した機器を容易に見つけ出すことができるが、アラームの発生した機器の側から監視室のディスプレイの表示状態を操作することはできないので、メンテナンスが完全に終了して機器の障害が復旧するまでの間はディスプレイ上のアラーム表示が変更されないという不都合がある。
この結果、メンテナンスに派遣された人が機器のメンテナンス作業を開始しても監視室にいる管理者はアラームの発生した機器のメンテナンスが開始されたのかどうか分からないといった不都合、たとえば、アラーム解消のために重複して作業者が派遣されるといった弊害が生じる場合がある。
【０００４】
特許文献３に開示される故障表示装置も、特許文献２の故障警報表示装置と同様、機器側の故障発生表示部にアラームの発生が表示されるので、メンテナンスに派遣された人はアラームの発生した機器を容易に見つけ出すことができるが、やはり、アラームの発生した機器の側からは監視室のディスプレイの表示状態を操作することはできないので、メンテナンスが完全に終了して機器の障害が復旧するまでの間、ディスプレイ上のアラーム表示が変更されないという不都合がある。
特に、特許文献３に開示される故障表示装置にあっては機器側の故障発生表示部がシステムの一部として機器に完全に組み込まれているので、このシステムに対応した機器でなければ機器側でアラームの発生を表示することはできず、故障発生表示部の後付けも容易でないという問題がある。
【先行技術文献】
【特許文献】
【０００５】
【特許文献１】特開２００２−５７６６６号公報
【特許文献２】特開２００２−３２８７７号公報（段落０００４，０００７）
【特許文献３】特開平９−２７４５７４号公報
【特許文献４】特開２００５−１０１７３５号公報
【発明の概要】
【発明が解決しようとする課題】
【０００６】
本発明の目的は、メンテナンスに派遣された人がアラームの発生した機器を容易に見つけ出すことができ、また、監視室にいる管理者もアラームの発生した機器のメンテナンスが開始されたか否かを容易に把握することのできるアラーム管理システムおよびアラーム表示方法を提供することにある。
【課題を解決するための手段】
【０００７】
本発明のアラーム管理システムは、離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置された各機器毎の表示灯とを備えたアラーム管理システムであり、前記目的を達成するため、特に、
前記アラーム監視装置と前記表示灯の各々を双方向の信号線で接続すると共に、各表示灯毎に手動操作スイッチを配備し、
前記アラーム監視装置には、アラームの発生した機器に近接して設けられた表示灯をアラーム表示態様で作動させる一方、該表示灯に配備された手動操作スイッチからの信号を検知すると、この表示灯のアラーム表示態様での作動および該表示灯に対応する機器の前記表示装置上におけるアラーム表示を停止させる表示態様管理手段を設けたことを特徴とする構成を有する。
【０００８】
また、本発明のアラーム表示方法は、離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置され前記アラーム監視装置に双方向の信号線で接続された各機器毎の手動操作スイッチ付表示灯とを備えたアラーム管理システムのアラーム表示方法であり、前記と同様の目的を達成するため、特に、
アラームの発生を検知された機器に近接して設けられた表示灯を前記アラーム監視装置からの信号によりアラーム表示態様で作動させる一方、
前記表示灯に設けられた手動操作スイッチからの信号を前記アラーム監視装置が検知すると、この表示灯のアラーム表示態様での作動および該表示灯に対応する機器の前記表示装置上におけるアラーム表示を前記アラーム監視装置からの信号によって停止させることを特徴とした構成を有する。
【発明の効果】
【０００９】
本発明のアラーム管理システムおよびアラーム表示方法は、アラームの発生を検知された機器に近接して設けられた表示灯をアラーム監視装置からの信号によりアラーム表示態様で作動させる一方、表示灯に設けられた手動操作スイッチからの信号をアラーム監視装置が検知すると、この表示灯のアラーム表示態様での作動および該表示灯に対応する機器の表示装置上におけるアラーム表示をアラーム監視装置からの信号によって停止させるようにしたので、機器のメンテナンスに派遣された人はアラーム表示態様で作動する表示灯を参照してアラームの発生した機器を容易に見つけ出すことができ、また、機器のメンテナンスに派遣された人がメンテナンスの開始に際して表示灯の手動操作スイッチを操作することにより、監視室にいる管理者もアラームの発生した機器のメンテナンスが開始されたことを容易に把握することができる。
また、各機器の各々に近接して設置される各機器毎の表示灯の表示態様をアラーム監視装置の側で制御する構成であるため、アラーム表示機能のない機器にも表示灯を容易に後付けしてアラームの発生した機器の確認作業やアラームの発生した機器のメンテナンス作業の開始の有無をアラーム監視装置の表示装置で容易に確認することができる。
【図面の簡単な説明】
【００１０】
【図１】本発明を適用した一実施形態のアラーム管理システムの構成について示したブロック図である。
【図２】同実施形態におけるアラーム監視装置の構成を簡略化して示した機能ブロック図である。
【図３】複数の機器を密接状態で取り付けた機器収容棚における表示灯および手動操作スイッチの取付位置について簡略化して示した図である。
【図４】同実施形態におけるアラーム監視装置の構成の概略を示したブロック図である。
【図５】機器と表示灯と手動操作スイッチとの対応関係を記憶する対応関係記憶テーブルの構成例を示した概念図である。
【図６】同実施形態におけるアラーム監視装置のマイクロプロセッサが実行するアラーム管理制御プログラムの構成の概略を示したフローチャートである。
【図７】アラーム発生時における表示灯の点灯状態の変化を示したタイミングチャートである。
【図８】メンテナンス移行時における表示灯の点灯状態の変化を示したタイミングチャートである。
【発明を実施するための形態】
【００１１】
次に、本発明を実施するための形態について一例を挙げ、図面を参照して説明する。
【００１２】
図１は本発明を適用した一実施形態のアラーム管理システムの構成について示したブロック図である。
【００１３】
この実施形態のアラーム管理システム１は、図１に示す通り、コンピュータ等を始めとする複数の機器２−１，２−２，・・・にLocal Area Network等のネットワーク３を経由して接続され、機器２−１，２−２，・・・からのアラーム信号を受けてアラームの発生した機器２−１，２−２，・・・とアラームとの対応関係を表示装置４に可視表示するアラーム監視装置５と、各機器２−１，２−２，・・・の各々に近接して設置された各機器２−１，２−２，・・・毎の表示灯６−１，６−２，・・・を備えたアラーム管理システムである。
【００１４】
図１においては２台の機器２−１，２−２のみを記載しているが、機器の数は任意である。
【００１５】
表示灯６−１，６−２，・・・には夫々に固有の手動操作スイッチ７−１，７−２，・・・が配備され、アラーム監視装置５と各表示灯６−１，６−２，・・・との間は、双方向の信号線８によって、アラーム監視装置５から各表示灯６−１，６−２，・・・への信号の伝達および手動操作スイッチ７−１，７−２，・・・からアラーム監視装置５への操作信号の伝達が可能なように接続されている。
【００１６】
複数の機器２−１，２−２，・・・は、アラーム監視装置５を設置した監視室から離間したラック室等に配置された機器収容棚９、例えば、図３に示されるような１９インチラック等からなる機器収容棚９に、相互に密接した状態で幾つも取り付けられている。
また、手動操作スイッチ７−１，７−２，・・・を備えた表示灯６−１，６−２，・・・は、機器２−１，２−２，・・・の左側に直近する機器収容棚９上の位置に、ボルトやタッピングビス等を利用した後付けの方式で取り付けられている。
【００１７】
図２はアラーム監視装置５の構成を簡略化して示した機能ブロック図である。
【００１８】
この実施形態のアラーム監視装置５は、各種の接点やEthernet（登録商標）等によって構成されるアラーム監視装置５のインターフェイスとネットワーク３を介して各機器２−１，２−２，・・・から入力されるアラーム信号を受け付けるアラーム収集手段１０と、アラーム収集手段１０で受け付けられたアラームを解析してアラームの種別やアラームを発生させた機器２−１，２−２，・・・とアラームとの対応関係を特定するアラーム解析手段１１と、アラーム解析手段１１で求められたアラームの種別と機器２−１，２−２，・・・との対応関係を始めとする各種のデータを異常発生履歴のログとしてアラーム蓄積手段１３に保存するアラーム管理手段１２を備える。
【００１９】
アラーム解析手段１１によって新たに求められたアラームと機器２−１，２−２，・・・との対応関係は、アラーム管理手段１２を介して表示画像作成手段１４にも通知され、この通知を受けた表示画像作成手段１４が、新たに発生したアラームと機器２−１，２−２，・・・との対応関係を表示するための画像データを生成し、この画像データを表示装置４に送信することによって、アラームの発生した機器２−１，２−２，・・・とアラームとの対応関係の最新情報を表示装置４に可視表示するようになっている。
【００２０】
アラーム解析手段１１によって新たに求められたアラームと機器２−１，２−２，・・・との対応関係は、更に、表示態様管理手段１６の一部を構成する表示灯管理手段１５にも通知され、この通知を受けた表示灯管理手段１５が、新たにアラームを発生させた機器２−１，２−２，・・・に近接して設けられた表示灯６−１，６−２，・・・に対し、信号線８を介して、表示灯６−１，６−２，・・・をアラーム表示態様で作動させるためのアラーム作動信号を送信することにより、表示灯６−１，６−２，・・・をアラーム表示態様で作動させる。
【００２１】
なお、機器２−１，２−２，・・・と機器２−１，２−２，・・・に近接して設けられた表示灯６−１，６−２，・・・との対応関係は予めアラーム監視装置５に登録されている。
【００２２】
また、各表示灯６−１，６−２，・・・に配備された手動操作スイッチ７−１，７−２，・・・から信号線８を介して送信される操作信号は、表示態様管理手段１６の一部を構成する表示灯管理手段１５によって検知され、これを検知した表示灯管理手段１５が、操作信号を送信した手動操作スイッチ７−１，７−２，・・・に対応する表示灯６−１，６−２，・・・のアラーム表示態様での作動を停止させてメンテナンスの実行中を表すメンテナンス表示態様での作動を開始させるためのメンテナンス作動信号を、信号線８を介して、対応する表示灯６−１，６−２，・・・に送信することにより、表示灯６−１，６−２，・・・のメンテナンス表示態様での作動を開始させると共に、メンテナンス表示態様での作動を開始した表示灯６−１，６−２，・・・に対応する機器２−１，２−２，・・・を特定する信号を表示態様管理手段１６の他部を構成するアラーム管理手段１２に通知する。
そして、これを受けたアラーム管理手段１２が、メンテナンス表示態様での作動を開始した表示灯６−１，６−２，・・・に対応する機器２−１，２−２，・・・がアラーム発生状態からメンテナンス状態に移行したことを検知し、メンテナンス状態に移行した機器２−１，２−２，・・・を表示画像作成手段１４に通知し、この通知を受けた表示画像作成手段１４が、新たにメンテナンス状態に移行した機器２−１，２−２，・・・のステイタスをアラーム状態からメンテナンス状態に書き換え表示するための画像データを生成し、この画像データを表示装置４に送信することによって、アラーム発生状態からメンテナンス状態に移行した機器２−１，２−２，・・・の最新情報を表示装置４に可視表示する。
【００２３】
なお、手動操作スイッチ７−１，７−２，・・・と表示灯６−１，６−２，・・・との対応関係は予めアラーム監視装置５に登録されている。
【００２４】
また、各表示灯６−１，６−２，・・・に配備された手動操作スイッチ７−１，７−２，・・・から信号線８を介して送信される操作信号が、表示態様管理手段１６の一部を構成する表示灯管理手段１５によって再び検知されると、これを検知した表示灯管理手段１５が、操作信号を送信した手動操作スイッチ７−１，７−２，・・・に対応する表示灯６−１，６−２，・・・のメンテナンス表示態様での作動を停止させてメンテナンスの終了を表す障害復旧表示態様の表示とするための障害復旧信号を、信号線８を介して、対応する表示灯６−１，６−２，・・・に送信することにより、表示灯６−１，６−２，・・・の作動を完全に停止させて消灯状態の初期状態に復帰させると共に、障害の復旧によりメンテナンス表示態様での作動を終了した表示灯６−１，６−２，・・・に対応する機器２−１，２−２，・・・を特定する信号を表示態様管理手段１６の他部を構成するアラーム管理手段１２に通知する。
そして、これを受けたアラーム管理手段１２は、メンテナンス表示態様での作動を終了した表示灯６−１，６−２，・・・に対応する機器２−１，２−２，・・・がメンテナンス状態から障害復旧状態に移行したことを検知し、障害が復旧した機器２−１，２−２，・・・を表示画像作成手段１４に通知し、これを受けた表示画像作成手段１４が、障害の復旧した機器２−１，２−２，・・・のステイタスをメンテナンス状態から障害復旧に書き換え表示するための画像データを生成し、この画像データを表示装置４に送信することによって、メンテナンス状態から障害復旧状態に移行した機器２−１，２−２，・・・の表示を表示装置４上から抹消する。
【００２５】
つまり、この実施形態における表示態様管理手段１６は、表示灯管理手段１５とアラーム管理手段１２によって構成されていることになる。
【００２６】
図４はアラーム監視装置５の構成の概略を示したブロック図である。
【００２７】
この実施形態のアラーム監視装置５は、ワークステーションやパーソナルコンピュータ等を始めとする通常のコンピュータによって構成されるもので、図４に示されるように、演算処理用のマイクロプロセッサ１７と、マイクロプロセッサ１７の駆動制御に必要とされる基本的な制御プログラムを格納したＲＯＭ１８と、演算データの一時記憶に利用されるＲＡＭ１９と、各種のパラメータ等を記憶する不揮発性メモリ２０と、大容量記憶装置として機能するハードディスクドライブ２１等を備え、マイクロプロセッサ１７の入出力回路２２には、マン・マシン・インターフェイスとして機能するキーボード２３およびマウス２４とグラフィックディスプレイからなる表示装置４が接続されている。
【００２８】
インターフェイス２５はネットワーク３に接続するためのインターフェイス、また、インターフェイス２６は信号線８に接続するためのインターフェイスである。
なお、機器２−１，２−２，・・・に後付けされた異常検出装置やセンサ等に固有のプロトコルがネットワーク３のプロトコルたとえばSNMP（Simple Network Management Protocol）に適合しないような場合には、機器２−１，２−２，・・・に後付けされた異常検出装置やセンサ等からのアラームを更に別の信号線を介してアラーム監視装置５に入力するための専用端子がインターフェイス２６に設けられる。
【００２９】
マイクロプロセッサ１７をアラーム収集手段１０，アラーム解析手段１１，アラーム管理手段１２，表示画像作成手段１４，表示灯管理手段１５および表示態様管理手段１６として機能させるためのアラーム管理制御プログラムは予めハードディスクドライブ２１に格納されており、アラーム監視装置５の起動時に此のアラーム管理制御プログラムがＲＡＭ１９に実行対象プログラムとして読み込まれる。
【００３０】
また、ハードディスクドライブ２１には、機器２−１，２−２，・・・と表示灯６−１，６−２，・・・と手動操作スイッチ７−１，７−２，・・・との対応関係を記憶した対応関係記憶テーブル２７が予め保存されており、この対応関係記憶テーブル２７が、アラーム監視装置５の起動時にアラーム管理制御プログラムと共にＲＡＭ１９に読み込まれるようになっている。対応関係記憶テーブル２７の論理構成の一例を図５に示す。
ハードディスクドライブ２１は発生したアラームの種別と機器２−１，２−２，・・・との対応関係を始めとする各種のデータを異常発生履歴のログとして記憶するアラーム蓄積手段１３としても機能する。
【００３１】
次に、アラーム管理制御プログラムの構成の概略を示した図６のフローチャートと表示灯６−１，６−２，・・・の点灯状態の変化を示す図７および図８のタイミングチャートを参照して、本実施形態におけるアラーム管理システム１の全体的な処理動作について具体的に説明する。
【００３２】
なお、図６の処理はマイクロプロセッサ１７が所定周期毎に繰り返し実行するマルチタスク処理の１つに過ぎず、マイクロプロセッサ１７が実行すべき処理の全てを表したものではない。
【００３３】
アラーム監視装置５が起動され、アラーム管理制御プログラムに従ったマイクロプロセッサ１７の処理が開始されると、まず、アラーム収集手段１０として機能するマイクロプロセッサ１７が、ネットワーク３およびインターフェイス２５を介して各機器２−１，２−２，・・・からのアラーム信号が入力されているか否かを判定し（ステップＳ１）、アラーム信号の入力が検出されなければ、更に、表示灯管理手段１５として機能するマイクロプロセッサ１７が、信号線８およびインターフェイス２６を介して各表示灯６−１，６−２，・・・に配備された手動操作スイッチ７−１，７−２，・・・からの操作信号が入力されているか否かを判定する（ステップＳ８）。
【００３４】
アラーム信号の入力も操作信号の入力も検出されなければ、マイクロプロセッサ１７は、所定周期毎の処理でステップＳ１，ステップＳ８の判定処理のみを繰り返し実行し、アラーム収集手段１０によってアラーム信号の入力が検知されるか表示灯管理手段１５によって操作信号の入力が検知されるのを待つ待機状態に入る。
【００３５】
そして、アラーム収集手段１０によってアラーム信号の入力が検知されてステップＡ１の判定結果が真となると、まず、アラーム解析手段１１として機能するマイクロプロセッサ１７が、アラーム収集手段１０で受け付けられたアラームを解析し（ステップＳ２）、アラームの種別と此のアラームを発生させた機器２−１，２−２，・・・を特定する（ステップＳ３）。
【００３６】
次いで、アラーム管理手段１２として機能するマイクロプロセッサ１７が、アラームの種別とアラームを発生させた機器２−１，２−２，・・・との対応関係を異常発生履歴の１つとしてアラーム蓄積手段１３として機能するハードディスクドライブ２１のデータ記憶領域に記憶させる（ステップＳ４）。
【００３７】
そして、更に、表示画像作成手段１４として機能するマイクロプロセッサ１７が、当該処理周期におけるステップＳ３の処理で新たに求められたアラームの種別とアラームを発生させた機器２−１，２−２，・・・との対応関係を表示するための画像データを生成し（ステップＳ５）、この画像データを表示装置４に送信することによって、アラームの発生した機器２−１，２−２，・・・とアラームの種別との対応関係の最新情報を表示装置４に可視表示する（ステップＳ６）。
【００３８】
ここで、仮に、アラームの発生した機器が「機器２−１」であってアラームの内容が「ファンの機能停止」であったとするなら、表示装置４の表示画面上には、例えば、「機器２−１：ファンの機能停止」といった情報が可視表示され、また、仮に、アラームの発生した機器が「機器２−２」であってアラームの内容が「電源の異常」であったとするなら、表示装置４の表示画面上には、例えば、「機器２−２：電源の異常」といった情報が可視表示されることになる。
【００３９】
次いで、表示態様管理手段１６の一部を構成する表示灯管理手段１５として機能するマイクロプロセッサ１７が、当該処理周期におけるステップＳ３の処理で得たアラームを発生させた機器２−１，２−２，・・・の情報に基いて図５に示すような対応関係記憶テーブル２７を参照し、アラームを発生させた機器２−１，２−２，・・・に近接して設けられた表示灯６−１，６−２，・・・を特定し、この表示灯６−１，６−２，・・・に対し、信号線８を介して、表示灯６−１，６−２，・・・をアラーム表示態様で作動させるためのアラーム作動信号を送信することにより、表示灯６−１，６−２，・・・をアラーム表示態様で作動させて此の処理周期におけるアラーム管理制御プログラムの処理を終了する（ステップＳ７）。そして、マイクロプロセッサ１７は、次周期の処理で、改めて、アラーム収集手段１０によってアラーム信号の入力が検知されるか表示灯管理手段１５によって操作信号の入力が検知されるのを待つ待機状態に入る（ステップＳ１，ステップＳ８参照）。
【００４０】
ここで、例えば、アラームの発生した機器が「機器２−１」であったとするなら、「機器２−１」に対応する「表示灯６−１」が図５の対応関係記憶テーブル２７から求められ、表示態様管理手段１６の一部を構成する表示灯管理手段１５として機能するマイクロプロセッサ１７が、「表示灯６−１」に対してアラーム作動信号を送信し、「表示灯６−１」がアラーム表示態様で作動を開始することになる（図７参照）。
この実施形態にあってはアラーム表示態様における表示灯６−１，６−２，・・・の作動態様を赤色灯の点灯としている。
【００４１】
監視室に詰める管理者は新たに発生したアラームの種別とアラームを発生させた機器２−１，２−２，・・・との対応関係を表示装置４上で容易に確認することができるので、アラームの種別に応じた適切な作業者をアラームの発生した機器２−１，２−２，・・・のもとに派遣することができる。
【００４２】
また、アラームを発生させた機器２−１，２−２，・・・に直近する表示灯６−１，６−２，・・・がアラーム表示態様たとえば赤色灯の点灯状態で作動するので、現場に赴いた作業者は、多数の機器２−１，２−２，・・・、特に、寸法や形状が類似する機器２−１，２−２，・・・が同じ機器収容棚９に多数密集して配備されているような状況下であっても、メンテナンスの対象とすべき機器２−１，２−２，・・・を容易に見つけ出してメンテナンス作業を開始することができる。
【００４３】
そして、メンテナンス対象とすべき機器２−１，２−２，・・・を特定した作業者が、メンテナンス作業の開始に際し、メンテナンスの対象とすべき機器２−１，２−２，・・・に直近した表示灯６−１，６−２，・・・に配備された手動操作スイッチ７−１，７−２，・・・を操作すると、ステップＳ１，ステップＳ８からなる待機処理において表示態様管理手段１６の一部を構成する表示灯管理手段１５として機能するマイクロプロセッサ１７が、信号線８を介して表示灯６−１，６−２，・・・に配備された手動操作スイッチ７−１，７−２，・・・からの操作信号の入力を検知する（ステップＳ８）。
【００４４】
次いで、表示態様管理手段１６の一部を構成する表示灯管理手段１５として機能するマイクロプロセッサ１７は、操作信号の送信元となっている手動操作スイッチ７−１，７−２，・・・を特定し、図５に示すような対応関係記憶テーブル２７を参照して、操作信号の送信元となっている手動操作スイッチ７−１，７−２，・・・に対応する機器２−１，２−２，・・・を特定し、更に、特定した機器２−１，２−２，・・・に基いてアラーム蓄積手段１３として機能するハードディスクドライブ２１のデータ記憶領域から当該機器２−１，２−２，・・・に対応する最新のログを読み出し、この機器２−１，２−２，・・・のステイタスがアラーム表示態様となっているか否か、つまり、この処理周期のステップＳ８の処理で検出された手動操作スイッチ７−１，７−２，・・・の操作が、メンテナンス作業を開始しようとする作業者によって行なわれたものであるか否かを判定する（ステップＳ９）。
【００４５】
ステップＳ９の判定結果が真となって、操作信号の送信元となっている手動操作スイッチ７−１，７−２，・・・に対応する機器２−１，２−２，・・・のステイタスがアラーム表示態様となっていることが明らかとなった場合には、表示態様管理手段１６の一部を構成する表示灯管理手段１５として機能するマイクロプロセッサ１７は、この操作信号が、この機器２−１，２−２，・・・に対応する表示灯６−１，６−２，・・・がアラーム表示態様での作動を開始してから最初に入力された操作信号、すなわち、メンテナンス作業を開始しようとする作業者によって送信された操作信号であると見做し、図５に示すような対応関係記憶テーブル２７を参照して、操作信号を送信した手動操作スイッチ７−１，７−２，・・・に対応する表示灯６−１，６−２，・・・を特定し、この表示灯６−１，６−２，・・・のアラーム表示態様での作動を停止させてメンテナンスの実行中を表すメンテナンス表示態様での作動を開始させるためのメンテナンス作動信号を、信号線８を介して、対応する表示灯６−１，６−２，・・・に送信することにより、表示灯６−１，６−２，・・・のメンテナンス表示態様での作動を開始させる（ステップＳ１０）。
【００４６】
次いで、表示態様管理手段１６の他部を構成するアラーム管理手段１２として機能するマイクロプロセッサ１７は、ステップＳ１０の処理で特定された機器２−１，２−２，・・・、つまり、メンテナンス表示態様での作動を開始した表示灯６−１，６−２，・・・に対応する機器２−１，２−２，・・・がアラーム発生状態からメンテナンス状態に移行したものと認識し、表示画像作成手段１４として機能するマイクロプロセッサ１７が、新たにメンテナンス状態に移行した機器２−１，２−２，・・・のステイタスをアラーム状態からメンテナンス状態に書き換え表示するための画像データを生成し（ステップＳ１１）、この画像データを表示装置４に送信することによって、アラーム発生状態からメンテナンス状態に移行した機器２−１，２−２，・・・の最新情報を表示装置４に可視表示し（ステップＳ１２）、アラーム管理手段１２として機能するマイクロプロセッサ１７が、当該機器２−１，２−２，・・・がアラーム発生状態からメンテナンス状態に移行したことを異常発生履歴の１つとしてアラーム蓄積手段１３として機能するハードディスクドライブ２１のデータ記憶領域に記憶させる（ステップＳ１３）。
【００４７】
ここで、例えば、アラームの発生している機器が機器２−１であったときに、機器２−１に直近する表示灯６−１に配備された手動操作スイッチ７−１が作業者の手によって操作されたとすると、表示態様管理手段１６の一部を構成する表示灯管理手段１５として機能するマイクロプロセッサ１７は、信号線８を介して表示灯６−１に配備された手動操作スイッチ７−１からの操作信号の入力を検知する（ステップＳ８参照）。
そして、マイクロプロセッサ１７は、図５に示すような対応関係記憶テーブル２７を参照して、操作信号の送信元となっている手動操作スイッチ７−１に対応する機器２−１を特定し、更に、特定した機器２−１に基いてアラーム蓄積手段１３として機能するハードディスクドライブ２１のデータ記憶領域から当該機器２−１に対応する最新のログを読み出すことになるが、この場合、この機器２−１の最新のステイタスはアラーム表示態様となっているので、ステップＳ９の判定結果は真となる。
この結果、この処理周期のステップＳ８の処理で検知された手動操作スイッチ７−１からの操作信号が、機器２−１に対応する表示灯６−１がアラーム表示態様での作動を開始してから最初に入力された操作信号、つまり、メンテナンス作業を開始しようとする作業者によって送信された操作信号であることが明らかとなる。
よって、表示態様管理手段１６の一部を構成する表示灯管理手段１５として機能するマイクロプロセッサ１７は、図５に示すような対応関係記憶テーブル２７を参照して、操作信号を送信した手動操作スイッチ７−１に対応する表示灯６−１を特定し、この表示灯６−１のアラーム表示態様での作動を停止させてメンテナンスの実行中を表すメンテナンス表示態様での作動を開始させるためのメンテナンス作動信号を、信号線８を介して、対応する表示灯６−１に送信することにより、表示灯６−１のメンテナンス表示態様での作動を開始させることになる（ステップＳ１０，図８参照）。
この実施形態にあってはメンテナンス表示態様における表示灯６−１，６−２，・・・の作動態様を黄色灯の点滅としている。
また、表示態様管理手段１６の他部を構成するアラーム管理手段１２として機能するマイクロプロセッサ１７は、ステップＳ１０の処理で特定された機器２−１、つまり、メンテナンス表示態様での作動を開始した表示灯６−１に対応する機器２−１がアラーム発生状態からメンテナンス状態に移行したものと認識し、表示画像作成手段１４として機能するマイクロプロセッサ１７が、新たにメンテナンス状態に移行した機器２−１のステイタスをアラーム状態からメンテナンス状態に書き換え表示するための画像データを生成し（ステップＳ１１参照）、この画像データを表示装置４に送信することによって、アラーム発生状態からメンテナンス状態に移行した機器２−１の最新情報を表示装置４に可視表示し（ステップＳ１２参照）、アラーム管理手段１２として機能するマイクロプロセッサ１７が、アラーム発生状態からメンテナンス状態に移行した機器２−１の履歴を異常発生履歴の１つとしてアラーム蓄積手段１３として機能するハードディスクドライブ２１のデータ記憶領域に記憶させることになる（ステップＳ１３参照）。
従って、このような状況下では、表示装置４の表示画面上での可視表示は「機器２−１：ファンの機能停止」といった情報から「機器２−１：メンテナンス中」といった情報に書き換えられ（ステップＳ１２参照）、機器２−１の最新の履歴としてメンテナンス中の履歴がアラーム蓄積手段１３として機能するハードディスクドライブ２１のデータ記憶領域に記憶されることになる（ステップＳ１３参照）。
【００４８】
監視室に詰める管理者は派遣した作業者がアラームの発生している機器２−１，２−２，・・・のメンテナンスに取り掛かったことを表示装置４上で容易に確認することができるので、アラーム解消のための作業者を重複して派遣するといったミスを防止することができる。
【００４９】
一方、ステップＳ９の判定結果が偽となり、操作信号の送信元となっている手動操作スイッチ７−１，７−２，・・・に対応する機器２−１，２−２，・・・のステイタスがアラーム表示となっていないことが明らかとなった場合にあっては、表示態様管理手段１６の一部を構成する表示灯管理手段１５として機能するマイクロプロセッサ１７は、ステップＳ９の処理で特定された操作信号の送信元となっている手動操作スイッチ７−１，７−２，・・・に対応するステイタスがメンテナンス表示態様となっているか否か、つまり、この処理周期のステップＳ８の処理で検出された手動操作スイッチ７−１，７−２，・・・の操作が、メンテナンス作業を終えた作業者によって行なわれたものであるか否かを判定する（ステップＳ１４）。
【００５０】
ステップＳ１４の判定結果が真となり、操作信号の送信元となっている手動操作スイッチ７−１，７−２，・・・に対応する機器２−１，２−２，・・・のステイタスがメンテナンス表示態様となっていることが明らかとなった場合には、表示態様管理手段１６の一部を構成する表示灯管理手段１５として機能するマイクロプロセッサ１７は、この操作信号が、この機器２−１，２−２，・・・に対応する表示灯６−１，６−２，・・・がメンテナンス表示態様での作動を開始してから最初に入力された操作信号、すなわち、メンテナンス作業を終えた作業者によって送信された操作信号であると見做し、図５に示すような対応関係記憶テーブル２７を参照して、操作信号を送信した手動操作スイッチ７−１，７−２，・・・に対応する表示灯６−１，６−２，・・・を特定し、この表示灯６−１，６−２，・・・のメンテナンス表示態様での作動を停止させてメンテナンスの終了を表す障害復旧表示態様とするための障害復旧信号を、信号線８を介して、対応する表示灯６−１，６−２，・・・に送信することにより、表示灯６−１，６−２，・・・の作動を完全に停止させて初期状態つまり消灯状態とする（ステップＳ１５）。
【００５１】
次いで、表示態様管理手段１６の他部を構成するアラーム管理手段１２として機能するマイクロプロセッサ１７は、ステップＳ１５の処理で特定された機器２−１，２−２，・・・、つまり、メンテナンス表示態様での作動を終了した表示灯６−１，６−２，・・・に対応する機器２−１，２−２，・・・がメンテナンス状態から障害復旧状態に移行したものと認識し、表示画像作成手段１４として機能するマイクロプロセッサ１７が、新たに障害復旧状態に移行した機器２−１，２−２，・・・のステイタスをメンテナンス状態から障害復旧状態に書き換え表示するための画像データを生成し（ステップＳ１１）、この画像データを表示装置４に送信することによって、メンテナンス状態から障害復旧状態に移行した機器２−１，２−２，・・・の最新情報を表示装置４に可視表示し（ステップＳ１２）、アラーム管理手段１２として機能するマイクロプロセッサ１７が、当該機器２−１，２−２，・・・がメンテナンス状態から障害復旧状態に移行したことを異常発生履歴の１つとしてアラーム蓄積手段１３として機能するハードディスクドライブ２１のデータ記憶領域に記憶させる（ステップＳ１３）。
【００５２】
ここで、例えば、メンテナンス中となっている機器が機器２−１であったときに、機器２−１に直近する表示灯６−１に配備された手動操作スイッチ７−１が作業者の手によって操作されたとすると、表示態様管理手段１６の一部を構成する表示灯管理手段１５として機能するマイクロプロセッサ１７は、信号線８を介して表示灯６−１に配備された手動操作スイッチ７−１からの操作信号の入力を検知する（ステップＳ８参照）。
そして、マイクロプロセッサ１７は、図５に示すような対応関係記憶テーブル２７を参照して、操作信号の送信元となっている手動操作スイッチ７−１に対応する機器２−１を特定し、更に、特定した機器２−１に基いてアラーム蓄積手段１３として機能するハードディスクドライブ２１のデータ記憶領域から当該機器２−１に対応する最新のログを読み出すことになるが、この場合、この機器２−１の最新のステイタスはメンテナンス表示態様となっているので、ステップＳ９の判定結果は偽となりステップＳ１４の判定結果が真となる。
この結果、この処理周期のステップＳ８の処理で検知された手動操作スイッチ７−１からの操作信号が、機器２−１に対応する表示灯６−１がメンテナンス表示態様での作動を開始してから最初に入力された操作信号、つまり、メンテナンス作業を終えた作業者によって送信された操作信号であることが明らかとなる。
よって、表示態様管理手段１６の一部を構成する表示灯管理手段１５として機能するマイクロプロセッサ１７は、図５に示すような対応関係記憶テーブル２７を参照して、操作信号を送信した手動操作スイッチ７−１に対応する表示灯６−１を特定し、この表示灯６−１のメンテナンス表示態様での作動を停止させてメンテナンスの終了を表す障害復旧表示態様の表示とするための障害復旧信号を、信号線８を介して、対応する表示灯６−１に送信することにより、表示灯６−１の作動を完全に停止させて消灯状態の初期状態に復帰させることになる（ステップＳ１５）。
この実施形態にあっては障害復旧状態における表示灯６−１，６−２，・・・の作動態様を消灯状態としている。
また、表示態様管理手段１６の他部を構成するアラーム管理手段１２として機能するマイクロプロセッサ１７は、ステップＳ１５の処理で特定された機器２−１、つまり、メンテナンス表示態様での作動を終了した表示灯６−１に対応する機器２−１がメンテナンス状態から障害復旧状態に移行したものと認識し、表示画像作成手段１４として機能するマイクロプロセッサ１７が、新たに障害復旧状態に移行した機器２−１のステイタスをメンテナンス状態から障害復旧状態に書き換え表示するための画像データを生成し（ステップＳ１１参照）、この画像データを表示装置４に送信することによって、メンテナンス状態から障害復旧状態に移行した機器２−１の最新情報を表示装置４に可視表示し（ステップＳ１２参照）、アラーム管理手段１２として機能するマイクロプロセッサ１７が、メンテナンス状態から障害復旧状態に移行した機器２−１の履歴を異常発生履歴の１つとしてアラーム蓄積手段１３として機能するハードディスクドライブ２１のデータ記憶領域に記憶させることになる（ステップＳ１３参照）。
従って、このような状況下では、表示装置４の表示画面上での可視表示は「機器２−１：メンテナンス中」といった情報から「機器２−１：障害復旧」といった情報に書き換えられ（ステップＳ１２参照）、機器２−１の最新の履歴として障害復旧の履歴がアラーム蓄積手段１３として機能するハードディスクドライブ２１のデータ記憶領域に記憶されることになる（ステップＳ１３参照）。
【００５３】
監視室に詰める管理者は派遣した作業者がアラームの発生している機器２−１，２−２，・・・のメンテナンスを終えたことを表示装置４上で容易に確認することができる。
【００５４】
また、ステップＳ１４の判定結果が偽となり、操作信号の送信元となっている手動操作スイッチ７−１，７−２，・・・に対応する機器２−１，２−２，・・・のステイタスがアラーム表示にもメンテナンス表示にもなっていないことが明らかとなった場合にあっては、表示態様管理手段１６の一部を構成する表示灯管理手段１５として機能するマイクロプロセッサ１７は、ステップＳ９の処理で特定された操作信号の送信元となっている手動操作スイッチ７−１，７−２，・・・の操作が誤操作であるものと見做し、此の処理周期におけるアラーム管理制御プログラムの処理を終了し、次周期の処理で、改めて、アラーム収集手段１０によってアラーム信号の入力が検知されるか表示灯管理手段１５によって操作信号の入力が検知されるのを待つ待機状態に入る（ステップＳ１，ステップＳ８参照）。
【００５５】
このように、操作信号の送信元となっている手動操作スイッチ７−１，７−２，・・・に対応する機器２−１，２−２，・・・の最新のログを参照して手動操作スイッチ７−１，７−２，・・・からの操作信号の意味合い、つまり、操作信号の送信がメンテナンス作業を開始しようとする作業者によって行なわれたものであるのか（最新のログがアラーム発生である場合）、メンテナンス作業を終えた作業者によって行なわれたものであるのか（最新のログがメンテナンス中である場合）を判定するようにしているので、手動操作スイッチ７−１，７−２，・・・の誤操作や手動操作スイッチ７−１，７−２，・・・に対する悪戯によって表示装置４に誤った情報が表示されるといった不都合を未然に防止することができ、表示装置４を監視する管理者の混乱を防止することができる。
【００５６】
以上に述べたように、この実施形態におけるアラーム管理システム１は、アラームの発生を検知された機器２−１，２−２，・・・に近接して設けられた表示灯６−１，６−２，・・・をアラーム監視装置５からのアラーム作動信号によりアラーム表示態様を表す赤色灯の点灯で作動させるようにしているので、機器２−１，２−２，・・・のメンテナンスに派遣された作業者は、アラーム表示態様を表す赤色灯の点灯で作動する表示灯６−１，６−２，・・・を参照することでアラームの発生した機器２−１，２−２，・・・を容易に見つけ出すことができる。
【００５７】
特に、この実施形態にあっては、新たに発生したアラームの種別とアラームを発生させた機器２−１，２−２，・・・との対応関係が表示装置４上に表示され、監視室に詰めた管理者は発生したアラームの種別を容易に確認することができるので、アラームの種別に応じた適切な作業者をアラームの発生した機器２−１，２−２，・・・のもとに派遣することが可能となる。
【００５８】
更に、手動操作スイッチ７−１，７−２，・・・からの操作信号の送信がアラーム監視装置５によって検知された場合には、操作信号の送信元となっている手動操作スイッチ７−１，７−２，・・・に対応する機器２−１，２−２，・・・の最新のログを参照することによって、操作信号の送信がメンテナンス作業を開始しようとする作業者によって行なわれたものであるのか（最新のログがアラーム発生である場合）、メンテナンス作業を終えた作業者によって行なわれたものであるのか（最新のログがメンテナンス中である場合）を判定し、操作信号の送信がメンテナンス作業を開始しようとする作業者によって行なわれた場合に限って、アラーム監視装置５から表示灯６−１，６−２，・・・にメンテナンス作動信号を送信して表示灯６−１，６−２，・・・をメンテナンス表示態様を表す黄色灯の点灯で作動させると共に、アラームを発生させた機器２−１，２−２，・・・がアラーム状態からメンテナンス状態に移行したことを表示装置４上に表示して監視室に詰める管理者に知らせるようにしているので、管理者は、派遣した作業者がアラームの発生している機器２−１，２−２，・・・のメンテナンスに取り掛かったことを表示装置４上で容易に確認することができ、アラーム解消のための作業者を重複して派遣するといったミスを未然に防止することができる。
【００５９】
また、手動操作スイッチ７−１，７−２，・・・からの操作信号の送信がアラーム監視装置５によって検知された場合であっても、操作信号の送信元となっている手動操作スイッチ７−１，７−２，・・・に対応する機器２−１，２−２，・・・の最新のログがアラームの発生やメンテナンス中を示すものでなければ此の操作信号を無視するようにしているので、手動操作スイッチ７−１，７−２，・・・の誤操作や手動操作スイッチ７−１，７−２，・・・に対する悪戯によって表示装置４に誤った情報が表示されるといった不都合を未然に防止することができ、表示装置４を監視する管理者の混乱を防止することができる。
【００６０】
そして、各機器２−１，２−２，・・・の各々に近接して設置される表示灯６−１，６−２，・・・の表示態様の全てをアラーム監視装置５の側で制御する構成であるため、アラーム表示機能のない機器にも表示灯を容易に後付けしてアラームの発生した機器の確認作業を行なうようにすることができ、また、アラームの発生した機器に対するメンテナンス作業の仕掛かりの有無をアラーム監視装置５の表示装置４から容易に確認することができる。
つまり、各機器２−１，２−２，・・・の各々に近接して設置された表示灯６−１，６−２，・・・や手動操作スイッチ７−１，７−２，・・・は各機器２−１，２−２，・・・のハードウェアとは完全に独立した状態にあるので、仮に、機器２−１，２−２，・・・に著しい損傷が発生した場合であっても、メンテナンス作業を開始する作業者が機器２−１，２−２，・・・に対応する表示灯６−１，６−２，・・・の手動操作スイッチ７−１，７−２，・・・さえ操作すれば、アラームを発生させた機器２−１，２−２，・・・がアラーム状態からメンテナンス状態に移行したこと、つまり、作業者がメンテナンス作業に仕掛かったことを表示装置４上に表示して監視室に詰める管理者に確実に知らせることができる。
また、機器によっては、アラーム発生時に表示灯が点灯するものも知られているが、メーカーや型番の違いにより表示灯の形状や取り付け位置が様々であって一貫性がなく、表示灯と他のランプ類とを識別すること自体も困難な場合がある。一方、この実施形態にあっては機器のメーカーや型番の違いに関わりなく表示灯６−１，６−２，・・・や手動操作スイッチ７−１，７−２，・・・の規格や設置位置を統一することができるので、ラック室などにメンテナンスに出かけた作業員は、アラームの発生した機器を容易に特定することができる。無論、アラームを出力する機能のない機器に対しても表示灯を設置してメンテナンス状態の表示態様を実現することが可能である。
【００６１】
以上に開示した実施形態の一部または全部は、以下の付記に示す記載によって適切に表現され得るが、発明を実施するための形態や発明の技術思想は、これらのものに制限されるものではない。
例えば、前述の実施形態にあっては表示灯６−１，６−２，・・・の点灯色によって機器２−１，２−２，・・・がアラーム発生状態にあるのかメンテナンス状態にあるのか障害復旧状態にあるのかを識別するようにしているが、識別に利用する表示灯６−１，６−２，・・・の表示態様は表示灯６−１，６−２，・・・の点灯と点滅、更には、点灯と点滅と色の組み合わせとしてもよい。
また、点灯と点滅と色の組み合わせを利用するような場合にあっては、例えば、点灯と点滅によって機器２−１，２−２，・・・がアラーム発生状態にあるのかメンテナンス状態にあるのか障害復旧状態にあるのかを識別し、更に、点灯色や点滅色によってアラームの種別を表すようにすることもできる。
【００６２】
また、アラーム管理制御プログラムは非一時的な記録媒体に記憶されてもよい。非一時的な記録媒体としては、例えば、ＤＶＤ，ＣＤ，フラッシュメモリ等のものを利用することができる。アラーム管理制御プログラムを非一時的な記録媒体に記憶した場合、アラーム管理制御プログラムは非一時的な記録媒体からアラーム監視装置５を構成するコンピュータによって読み出され、そのマイクロプロセッサ１７によって実行されることになる。
【００６３】
〔付記１〕
離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置された各機器毎の表示灯とを備えたアラーム管理システムであって、
前記アラーム監視装置と前記表示灯の各々を双方向の信号線で接続すると共に、各表示灯毎に手動操作スイッチを配備し、
前記アラーム監視装置には、アラームの発生した機器に近接して設けられた表示灯をアラーム表示態様で作動させる一方、該表示灯に配備された手動操作スイッチからの信号を検知すると、この表示灯のアラーム表示態様での作動および該表示灯に対応する機器の前記表示装置上におけるアラーム表示を停止させる表示態様管理手段を設けたことを特徴とするアラーム管理システム。
【００６４】
〔付記２〕
前記表示態様管理手段は、前記表示灯をアラーム表示態様で作動させてから前記手動操作スイッチから送出される最初の信号を受けると、この手動操作スイッチに対応する表示灯の作動態様および該表示灯に対応する機器の前記表示装置上における表示態様を、アラーム表示態様からメンテナンスの実行中を表すメンテナンス表示態様に切り替えることを特徴とした付記１記載のアラーム管理システム。
【００６５】
〔付記３〕
前記表示態様管理手段は、前記表示灯をメンテナンス表示態様で作動させてから前記手動操作スイッチから送出される最初の信号を受けると、この手動操作スイッチに対応する表示灯の作動態様および該表示灯に対応する機器の前記表示装置上における表示態様を、メンテナンス表示態様からメンテナンスの終了を表す障害復旧表示態様に切り替えることを特徴とした付記２記載のアラーム管理システム。
【００６６】
〔付記４〕
前記表示灯の表示態様を表示灯の点灯と点滅で識別することを特徴とした付記１，付記２または付記３のうち何れか一項に記載のアラーム管理システム。
【００６７】
〔付記５〕
前記表示灯の表示態様を表示灯の点灯色で識別することを特徴とした付記１，付記２または付記３のうち何れか一項に記載のアラーム管理システム。
【００６８】
〔付記６〕
離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置され前記アラーム監視装置に双方向の信号線で接続された各機器毎の手動操作スイッチ付表示灯とを備えたアラーム管理システムのアラーム表示方法であって、
アラームの発生を検知された機器に近接して設けられた表示灯を前記アラーム監視装置からの信号によりアラーム表示態様で作動させる一方、
前記表示灯に設けられた手動操作スイッチからの信号を前記アラーム監視装置が検知すると、この表示灯のアラーム表示態様での作動および該表示灯に対応する機器の前記表示装置上におけるアラーム表示を前記アラーム監視装置からの信号によって停止させることを特徴としたアラーム表示方法。
【００６９】
〔付記７〕
前記表示灯がアラーム表示態様で作動した後、前記アラーム監視装置が、前記手動操作スイッチから送出される最初の信号を検知すると、前記アラーム監視装置が、この手動操作スイッチに対応する表示灯の作動態様および該表示灯に対応する機器の前記表示装置上における表示態様を、アラーム表示態様からメンテナンスの実行中を表すメンテナンス表示態様に切り替えることを特徴とした付記６記載のアラーム表示方法。
【００７０】
〔付記８〕
前記表示灯がメンテナンス表示態様で作動した後、前記アラーム監視装置が、前記手動操作スイッチから送出される最初の信号を検知すると、前記アラーム監視装置が、この手動操作スイッチに対応する表示灯の作動態様および該表示灯に対応する機器の前記表示装置上における表示態様を、メンテナンス表示態様からメンテナンスの終了を表す障害復旧表示態様に切り替えることを特徴とした付記７記載のアラーム表示方法。
【００７１】
〔付記９〕
前記表示灯の表示態様を表示灯の点灯と点滅で識別することを特徴とした付記６，付記７または付記８のうち何れか一項に記載のアラーム表示方法。
【００７２】
〔付記１０〕
前記表示灯の表示態様を表示灯の点灯色で識別することを特徴とした付記６，付記７または付記８のうち何れか一項に記載のアラーム表示方法。
【００７３】
〔付記１１〕
離間して設置された複数の機器にネットワークを経由して接続され、前記機器からのアラーム信号を受けてアラームの発生した機器とアラームとの対応関係を表示装置に可視表示するアラーム監視装置と、前記各機器の各々に近接して設置され前記アラーム監視装置に双方向の信号線で接続された各機器毎の手動操作スイッチ付表示灯とを備えたアラーム管理システムのアラーム管理制御プログラムであって、
前記アラーム監視装置が備えるマイクロプロセッサを、
新たにアラームを発生させた機器に近接して設けられた表示灯をアラーム表示態様で作動させる一方、前記手動操作スイッチから送信される信号を受けると当該手動操作スイッチを備えた表示灯のアラーム表示態様での作動を停止させる表示灯管理手段、および、
前記表示灯管理手段からの通知を受け、アラーム表示態様での作動を停止させる表示灯に対応した機器の前記表示装置上におけるアラーム表示を停止させるアラーム管理手段として機能させることを特徴としたアラーム管理制御プログラム。
【００７４】
〔付記１２〕
前記表示灯管理手段は、前記表示灯をアラーム表示態様で作動させてから前記手動操作スイッチから送出される最初の信号を受けると当該手動操作スイッチを備えた表示灯の作動態様をアラーム表示態様からメンテナンス表示態様に切り替え、
前記アラーム管理手段は、前記表示灯管理手段からの通知を受け、メンテナンス表示態様に切り替える表示灯に対応した機器の前記表示装置上における表示態様をアラーム表示態様からメンテナンス表示態様に切り替えることを特徴とした付記１１記載のアラーム管理制御プログラム。
【００７５】
〔付記１３〕
前記表示灯管理手段は、前記表示灯をメンテナンス表示態様で作動させてから前記手動操作スイッチから送出される最初の信号を受けると当該手動操作スイッチを備えた表示灯の作動態様をメンテナンス表示態様から障害復旧表示態様に切り替え、
前記アラーム管理手段は、前記表示灯管理手段からの通知を受け、障害復旧表示態様に切り替える表示灯に対応した機器の前記表示装置上における表示態様をメンテナンス表示態様から障害復旧表示態様に切り替えることを特徴とした付記１２記載のアラーム管理制御プログラム。
【産業上の利用可能性】
【００７６】
本発明は、離間して設置された複数の機器からのアラーム信号を受けてアラームの発生した機器とアラームとの対応関係を表示装置に可視表示するアラーム監視装置を利用したアラーム管理システム一般に適用できる。
【符号の説明】
【００７７】
１  アラーム管理システム
２−１，２−２  機器
３  ネットワーク
４  表示装置
５  アラーム監視装置
６−１，６−２  表示灯
７−１，７−２  手動操作スイッチ
８  信号線
９  機器収容棚
１０  アラーム収集手段
１１  アラーム解析手段
１２  アラーム管理手段（表示灯管理手段の他部）
１３  アラーム蓄積手段
１４  表示画像作成手段
１５  表示灯管理手段（表示灯管理手段の一部）
１６  表示態様管理手段
１７  マイクロプロセッサ（アラーム収集手段，アラーム解析手段，アラーム管理手段，表示画像作成手段，表示灯管理手段，表示態様管理手段）
１８  ＲＯＭ
１９  ＲＡＭ
２０  不揮発性メモリ
２１  ハードディスクドライブ（アラーム蓄積手段）
２２  入出力回路
２３  キーボード
２４  マウス
２５  インターフェイス
２６  インターフェイス
２７  対応関係記憶テーブル
【図１】
2014192554.tif 000003
【図２】
2014192554.tif 000004
【図３】
2014192554.tif 000005
【図４】
2014192554.tif 000006
【図５】
2014192554.tif 000007
【図６】
2014192554.tif 000008
【図７】
2014192554.tif 000009
【図８】
2014192554.tif 000010